(57)【特許請求の範囲】
【請求項１】
多数のＭＴ（Mobile Terminal）と、前記多数のＭＴとそれぞれ無線接続されて対応するＭＴを制御する多数のＢＴＳ（Base Terminal Station）と、前記多数のＢＴＳをそれぞれ制御する多数のＲＮＣ（Radio Network Controller）とから構成されて無線環境を最適化するＲＡＮ（Radio Access Network）と、
加入者の位置情報を登録／管理するＶＬＲ（Visited Location Register）及びＨＬＲ／ＧＬＲ（Home Location Register／Gateway Location Register）とそれぞれ接続されながら前記ＲＡＮにおけるそれぞれのＲＮＣを管理及び制御して無線資源を伝送及び交換する多数のＭＳＣ（Mobile Switching Center）とから構成されてマルチメディアサービスに対して高速の伝送機能と交換機能を遂行するＣＮ（Core Network）と、
サービス制御ロジックを具備したＳＣＰ（Service Control Point）と、サービス遂行中に必要とするデーターを具備したＳＤＰ（Service Data Point）及びサービス資源を具備したＩＰ（Intelligent Peripheral）とから構成されて多様なマルチメディアサービスを提供するＩＮ（Intelligent Network）とから構成されたＩＭＴ−２０００網システムにおいて、
前記多数のＲＮＣはそれぞれ無線資源及び呼を管理するＲＡＣＦ（Radio Access Control Function）と、前記ＲＮＣ間のアンカーハンドオーバを遂行するＡＲＦ（Accesslink Relay Function）と、サービスを管理及び制御するＳＡＣＦ（Service Access Control Function）とから構成され、
前記多数のＭＳＣはそれぞれＩＮから伝送されるサービスを分析して適切な作業要求をＣＣＦ（Call Control Function）に伝送するＳＳＦ（Service Switching Function）と、前記ＳＳＦにサービス要求メッセージを伝送し、ＳＳＦから伝送されたサービス要求を処理するＣＣＦとから構成されることを特徴とするＩＭＴ−２０００網システム。
【請求項２】
第１、第２ＭＴ（Mobile Terminal）と、前記第１、第２ＭＴとそれぞれ無線接続されて対応する第１、第２ＭＴを制御する第１、第２ＢＴＳ（Base Terminal Station）と、前記第１、第２ＢＴＳをそれぞれ制御する第１、第２ＲＮＣ（Radio Network Controller）とから構成されて無線環境を最適化するＲＡＮ（Radio Access Network）と、加入者の位置情報を登録／管理するＶＬＲ（Visited Location Register）及びＨＬＲ／ＧＬＲ（Home Location Register／Gateway Location Register）とそれぞれ接続されながら前記ＲＡＮからの第１、第２ＲＮＣを管理及び制御して無線資源を伝送及び交換する多数の第１乃至第３ＭＳＣ（Mobile Switching Center）とから構成されてマルチメディアサービスに対して高速の伝送機能と交換機能を遂行するＣＮ（Core Network）と、サービス制御ロジックを具備したＳＣＰ（Service Control Point）と、サービス遂行中に必要とするデーターを具備したＳＤＰ（Service Data Point）及びサービス資源を具備したＩＰ（Intelligent Peripheral）とから構成されて多様なマルチメディアサービスを提供するＩＮ（Intelligent Network）とから構成されたＩＭＴ−２０００網システムにおけるＭＳＣ間にハンドオーバを遂行する方法において、
前記第１ＭＳＣの管轄地域内の第１ＭＴの移動によって第１ＭＴが管轄地域の第１ＭＳＣにハンドオーバを要求する場合、その第１ＭＳＣのＳＳＦが前記ＩＮのＳＣＰに前記第１ＭＴのハンドオーバを要求した後に、そのＩＮのＳＣＰが前記第３ＭＳＣにハンドオーバを要求する第１段階と、
前記第１段階からのＩＮのハンドオーバ要求により前記第３ＭＳＣ内のＣＣＦが前記第１ＭＳＣとの連結を解除した後に、ルーチングテーブルを変化させて新たな第２ＭＳＣとの連結を設定してＭＳＣ間のハンドオーバを遂行する第２段階と、
前記第２段階のハンドオーバが成功的に完了される場合、前記第３ＭＳＣが前記ＩＮのＳＣＰにハンドオーバ遂行結果を通報した後に、前記ＩＮのＳＣＰが通報を受けたハンドオーバ遂行結果を前記第１ＭＳＣに通報する第３段階を包含してなることを特徴とする知能網を利用した交換機間のハンドオーバ方法。
【発明の詳細な説明】
【０００１】
【発明の属する技術分野】
本発明は、知能網（Intelligent Netwprk；以下、“ＩＮ”と称する）を利用した交換機（Mobile Switching Center；以下、“ＭＳＣ”と称する）間のハンドオーバ（Handover）方法及びこれを具現したＩＭＴ（International Mobile Telecommunication）−２０００網システムに関するもので、特にＩＭＴ−２０００網システムにおけるＭＳＣ間のハンドオーバをＩＮを利用して遂行することによって無線伝送のためのリンク資源を効率的に管理することができるようにしたＩＮを利用したＭＳＣ間のハンドオーバ方法及びこれを具現したＩＭＴ−２０００網システムに関するものである。
【０００２】
【従来の技術】
図１は世界共通の周波数帯域を利用して音声系及び非音声系の移動マルチメディアサービスを提供するために新たに台頭されるＩＭＴ−２０００網システムのブロック図を図示したものである。図１に図示のように、従来のＩＭＴ−２０００網システムは無線環境を最適化する無線接続網（Radio Access Network；以下、“ＲＡＮ”と称する）１００と、マルチメディアサービスに対して高速の伝送機能と交換機能を遂行する伝送網（Core Network、以下；“ＣＮ”と称する）２００と、多様なマルチメディアサービスを提供するＩＮ３００とから構成される。前記ＲＡＮ１００，ＣＮ２００及びＩＮ３００はそれぞれ独立的な網に独立的な機能が分配されるように構成されて、他の網の機能や構造が変化しても他の網に大きな影響が及ばないようにしている。
【０００３】
前記ＲＡＮ１００は移動端末機であるＭＴ（Mobile Terminal）１１０，１１１と、前記ＭＴ１１０，１１１と無線接続してＭＴ１１０，１１１を制御するＢＴＳ（Base Terminal Station）１２０，１２１と、前記ＢＴＳ１２０，１２１を制御するＲＮＣ（Radio Network Controller）１３０，１３１とから構成される。前記ＲＮＣ１３０，１３１はＲＡＣＦ（Radio Access Control Function）１４０，１５０とＡＲＦ（Accesslink Relay Function）１４１，１５１を遂行する。前記ＲＡＣＦ１４０，１５０は無線資源及び呼を管理する役割を遂行し、前記ＡＲＦ１４１、１５１はＲＮＣ１３０，１３１間のアンカー（Anchor）ハンドオーバを遂行する。
【０００４】
前記ＣＮ２００は加入者の位置情報を登録し管理するＶＬＲ（Visited Location Register）と接続しながら前記ＲＡＮ１００のＲＮＣ１３０，１３１を管理及び制御して無線資源を伝送及び交換するＭＳＣ２１０，２２０と、ＨＬＲ（Home Location Register）またはＧＬＲ（Gateway Location Register）と接続しながら前記ＭＳＣ２１０，２２０を他の網と接続することができるようにするＧＭＳＣ（Gateway ＭＳＣ）２３０とから構成される。
【０００５】
前記ＭＳＣ２１０，２２０は非同期伝送モード（Asynchronous Transfer Mode；ＡＴＭ）交換機として、ＩＮ３００から伝送されるサービスを分析して適切な作業要求をＣＣＦに伝送するＳＳＦ（Service Switching Function）２１１，２２１と、前記ＳＳＦ２１１，２２１にサービス要求メッセージを伝送しＳＳＦ２１１、２２１から伝送されたサービス要求を処理するＣＣＦ（Call Control Function）２１２，２２２と、非呼関連移動性サービスを管理及び制御するＳＡＣＦ（Service Access Control Function）２１３，２２３と、ＭＳＣ２１０，２２０間のハンドオーバを管理するＡＲＦ２１４，２２４とから構成される。前記ＧＭＳＣ２３０はＳＳＦ２３１とＣＣＦ２３２とから構成される。
【０００６】
前記ＩＮ３００はサービス制御ロジックを具備したＳＣＰ（Service Control Point）３１０とサービス遂行中に必要とするデーターを具備したＳＤＰ（Service Data Point）３１１及び音声私書函のようなサービス資源等を具備したＩＰ（Intelligent Peripheral）とから構成される。
【０００７】
このように構成された従来のＩＭＴ−２０００網システムにおいて、従来でのアンカー方式を利用してＭＳＣ間のハンドオーバ方法の過程を詳細に説明すると次のとおりである。
まず、図１に図示のＩＭＴ−２０００網システムにおける説明を容易にするために２個のＭＳＣ２１０，２２０とこれに接続される２個のＭＴ１１０，１１１のみが図示されているが、前記ＲＡＮ１００は多数のＭＴ，ＢＴＳ，ＲＮＣを具備することができ、前記ＣＮ２００もまた多数のＭＳＣを具備することができる。
【０００８】
前記ＭＴ１１０の移動によってＭＴ１１０がＢＴＳ１２０及びＲＮＣ１３０を管轄するＭＳＣ２１０から他の管轄地域のＭＳＣ２２０にハンドオーバを要求する場合、前記ＭＳＣ２１０がまずＡＲＦ２１４を通じて他の管轄地域のＭＳＣ２２０に新たな連結を設定する。
【０００９】
それにより、前記ＭＳＣ２２０からはＭＳＣ２１０のハンドオーバ要求によりＡＲＦ２２４を通じてＭＴ１１０のハンドオーバを遂行してＭＴ１１０の無線資源及び呼を管理する。
即ち、前記ＭＴ１１０のハンドオーバを遂行するためには既存のＭＳＣ２１０が継続して呼管理を遂行しながら新たなＭＳＣ２２０に別途の連結を追加しなければならない。
【００１０】
しかし、前記のような従来のＭＳＣ間のアンカー方式を利用したハンドオーバはＭＴがハンドオーバを継続するとき毎に連結されるＭＳＣが増加し、ＭＳＣ間のリンク資源が浪費されＭＳＣ内の呼プロセッサーの資源が浪費される。
換言すると、ハンドオーバが遂行されるとき毎に伝送リンクが新たなＭＳＣに割当られなければならない。これにより、広い帯域のチャンネルを占有するＭＴが頻繁なハンドオーバを要求する場合深刻な伝送資源の浪費を招くことになるという間題点があった。
【００１１】
また、ＭＳＣ毎にハンドオーバを管理する別途のＡＲＦが必要なので、無線網との接続のためのＭＳＣを有線網のＭＳＣとは別途に具現しなければならないという負担が伴うばかりではなく、ＭＳＣ構造が非常に複雑で製造原価の上昇によって過大な費用が所要されるという間題があった。
【００１２】
【発明が解決しようとする課題】
本発明は前記のような間題点を解決するために案出したもので、その目的はＣＮ内のＭＳＣとＩＮとの間のインターフェイスプロトコルを変化させないでもＩＭＴ−２０００網システムのＩＮを利用してＭＳＣ間のハンドオーバを遂行することによって伝送資源の浪費を減少させ、ＳＳＦとＣＣＦとから構成されるＡＴＭ ＭＳＣをそのままに使用して所要費用を節減すると同時にゲートウェイＭＳＣを使用する必要がなく、同一構造のＭＳＣを通じて非階層的ＩＭＴ−２０００網システムを具現して適切なトラフィック分散を可能にするＩＮを利用したＭＳＣ間のハンドオーバ方法及びこれを具現したＩＭＴ−２０００網システムを提供することにある。
【００１３】
【課題を解決するための手段】
本発明に係るＩＭＴ−２０００網システムは、多数のＭＴ（Mobile Terminal）と、前記多数のＭＴとそれぞれ無線接続されて対応するＭＴを制御する多数のＢＴＳ（Base Terminal Station）と、前記多数のＢＴＳをそれぞれ制御する多数のＲＮＣ（Radio Network Controller）とから構成されて無線環境を最適化するＲＡＮ（Radio Access Network）と、加入者の位置情報を登録／管理するＶＬＲ（Visited Location Register）及びＨＬＲ／ＧＬＲ（Home Location Register／Gateway Location Register）とそれぞれ接続されながら前記ＲＡＮにおけるそれぞれのＲＮＣを管理及び制御して無線資源を伝送及び交換する多数のＭＳＣ（Mobile Switching Center）とから構成されてマルチメディアサービスに対して高速の伝送機能と交換機能を遂行するＣＮ（Core Network）と、サービス制御ロジックを具備したＳＣＰ（Service Control Point）と、サービス遂行中に必要とするデーターを具備したＳＤＰ（Service Data Point）及びサービス資源を具備したＩＰ（Intelligent Peripheral）とから構成されて多様なマルチメディアサービスを提供するＩＮ（Intelligent Network）とから構成されたＩＭＴ−２０００網システムにおいて、前記多数のＲＮＣはそれぞれ無線資源及び呼を管理するＲＡＣＦ（Radio Access Control Function）と、前記ＲＮＣ間のアンカーハンドオーバを遂行するＡＲＦ（Accesslink Relay Function）と、サービスを管理及び制御するＳＡＣＦ（Service Access Control Function）とから構成され、前記多数のＭＳＣはそれぞれＩＮから伝送されるサービスを分析して適切な作業要求をＣＣＦ（Call Control Function）に伝送するＳＳＦ（Service Switching Function）と、前記ＳＳＦにサービス要求メッセージを伝送し、ＳＳＦから伝送されたサービス要求を処理するＣＣＦとから構成されることを特徴とするものである。
【００１４】
また、本発明に係る知能網を利用した交換機間のハンドオーバ方法は、第１、第２ＭＴ（Mobile Terminal）と、前記第１、第２ＭＴとそれぞれ無線接続されて対応する第１、第２ＭＴを制御する第１、第２ＢＴＳ（Base Terminal Station）と、前記第１、第２ＢＴＳをそれぞれ制御する第１、第２ＲＮＣ（Radio Network Controller）とから構成されて無線環境を最適化するＲＡＮ（Radio Access Network）と、加入者の位置情報を登録／管理するＶＬＲ（Visited Location Register）及びＨＬＲ／ＧＬＲ（Home Location Register／Gateway Location Register）とそれぞれ接続されながら前記ＲＡＮからの第１、第２ＲＮＣを管理及び制御して無線資源を伝送及び交換する多数の第１乃至第３ＭＳＣ（Mobile Switching Center）とから構成されてマルチメディアサービスに対して高速の伝送機能と交換機能を遂行するＣＮ（Core Network）と、サービス制御ロジックを具備したＳＣＰ（Service Control Point）と、サービス遂行中に必要とするデーターを具備したＳＤＰ（Service Data Point）及びサービス資源を具備したＩＰ（Intelligent Peripheral）とから構成されて多様なマルチメディアサービスを提供するＩＮ（Intelligent Network）とから構成されたＩＭＴ−２０００網システムにおけるＭＳＣ間にハンドオーバを遂行する方法において、前記第１ＭＳＣの管轄地域内の第１ＭＴの移動によって第１ＭＴが管轄地域の第１ＭＳＣにハンドオーバを要求する場合、その第１ＭＳＣのＳＳＦが前記ＩＮのＳＣＰに前記第１ＭＴのハンドオーバを要求した後に、そのＩＮのＳＣＰが前記第３ＭＳＣにハンドオーバを要求する第１段階と、前記第１段階からのＩＮのハンドオーバ要求により前記第３ＭＳＣ内のＣＣＦが前記第１ＭＳＣとの連結を解除した後に、ルーチングテーブルを変化させて新たな第２ＭＳＣとの連結を設定してＭＳＣ間のハンドオーバを遂行する第２段階と、前記第２段階のハンドオーバが成功的に完了される場合、前記第３ＭＳＣが前記ＩＮのＳＣＰにハンドオーバ遂行結果を通報した後に、前記ＩＮのＳＣＰが通報を受けたハンドオーバ遂行結果を前記第１ＭＳＣに通報する第３段階を包含してなることを特徴とするものである。
【００１５】
【発明の実施の形態】
以下、添附の図面を参考して本発明によるＩＮを利用したＭＳＣ間のハンドオーバ方法を具現したＩＭＴ−２０００網システムの構成とＩＮを利用したＭＳＣ間のハンドオーバ方法を詳細に説明する。
【００１６】
図２は本発明の実施の形態によるＩＮを利用したＭＳＣ間のハンドオーバ方法を具現するためのＩＭＴ−２０００網システムの全体ブロック構成図を図示したものである。
図２に図示のように、本発明の実施の形態によるＩＮを利用したＭＳＣ間のハンドオーバ方法を具現するためのＩＭＴ−２０００網システムはＭＴ１１０，１１１と、前記ＭＴ１１０，１１１と無線接続してＭＴ１１０，１１１を制御するＢＴＳ１２０，１２１と、前記ＢＴＳ１２０，１２１を制御するＲＮＣ１３０，１３１とから構成されて無線環境を最適化するＲＡＮ１００と、加入者の位置情報を登録／管理するＶＬＲ及びＨＬＲ／ＧＬＲと接続しながら前記ＲＡＮ１００のＲＮＣ１３０，１３１を管理及び制御して無線資源を伝送及び交換するＭＳＣ２１０、２２０、２３０とから構成されてマルチメディアサービスに対して高速の伝送機能と交換機能を遂行するＣＮ２００と、サービス制御ロジックを具備したＳＣＰ３１０とサービス遂行中に必要とするデーターを具備したＳＤＰ３１１及び音声私書函のようなサービス資源等を具備したＩＰとから構成されて多様なマルチメディアサービスを提供するＩＮ３００とから構成される。
【００１７】
前記ＲＡＮ１３０，１３１は無線資源及び呼を管理するＲＡＣＦ１４０，１５０と、ＲＮＣ１３０、１３１との間のアンカーハンドオーバを遂行するＡＲＦ１４１、１５１と、サービスを管理及び制御するＳＡＣＦ１４２，１５２とから構成される。
【００１８】
前記ＣＮ２００のＭＳＣ２１０，２２０，２３０はＩＮ３００から伝送されるサービスを分析して適切な作業要求をＣＣＦに伝送するＳＳＦ２１１，２２１，２３１と、前記ＳＳＦ２１１，２２１，２３１にサービス要求メッセージを伝送しＳＳＦ２１１，２２１，２３１から伝送されたサービス要求を処理するＣＣＦ２１２，２２２，２３２とから構成される。
【００１９】
前記ＩＮ３００のＳＣＰ３１０とＳＤＰ３１１はそれぞれＳＣＦ（Service Control Function）とＳＤＦ（Service Data Function）機能を遂行する。
【００２０】
ここで、従来と同一の構成に対しては同一の符号を使用しており、本発明のＩＭＴ−２０００網システムにおいてはＲＡＮ１００のＲＮＣ１３０，１３１の構造とＣＮ２００のＭＳＣ２１０，２２０の構造が従来ＩＭＴ−２０００網システムと異なる。
【００２１】
即ち、前記ＲＡＮ１００のＲＮＣ１３０，１３１は従来のＭＳＣに具現されたＳＡＣＦを包含する構造となっており、これによりＣＮ２００のＭＳＣ２１０，２２０にはＳＡＣＦが構成されない。
【００２２】
そして、前記ＣＮ２００のＭＳＣ２１０，２２０は従来具現されたＩＭＴ−２０００網システムのＭＳＣの構造ではない既存のＳＳＦとＣＣＦとに具現されたＧＭＳＣと同じ構造からなる。
【００２３】
これにより、本発明においては従来のＩＭＴ−２０００網システムにおけるＧＭＳＣを必要とする階層的な構造ではない非階層的な構造を具現することによりＧＭＳＣにトラフィックが集合されることを防止する。
【００２４】
図３は本発明のＩＮを利用したＭＳＣ間のハンドオーバ方法を具現するためのＣＮ２００のＭＳＣ２１０，２２０，２３０とＩＮ３００のＳＣＰ３１０及びＳＤＰ３１１との間のプロトコル構造図である。ここではＭＳＣ２３０，ＳＣＰ３１０及びＳＤＰ３１１間のプロトコル構造のみ図示した。
【００２５】
前記ＭＳＣ２３０はＢＣＰ（Base Call Process）とＳＳＦ（Service Switching Function）とから構成されたＡＰ（Application Process）と、ＣＣ（Call Control）と、ＢＣ（Bearer Control）と、ＳＡＣＦ＊（Single Association Control Function）、ＡＳＥｓ（Application Service Elements）、ＴＣＡＰ（Transaction Capability Application Process）と、ＳＣＣＰ（Signalling Connection Control Part）と、ＳＡＡＬ（Signalling ＡＴＭ Adaptation Layer）と、ＡＴＭと、Physicalとからなる。
【００２６】
前記ＳＣＰ３１０はＳＣＦ（Service Control Function）、ＬＲＣＦ（Location Register Control Function）及びＡＣＦ（Authentication Control Function）を遂行するＡＰと、ＭＭ−Ｔ（Terminal Mobility Management）と、ＭＡＣＦ（Multiple Association Control Function）と、ＲＯＳＥ（Remote Operation Service Element）と、ＳＡＣＦ＊と、ＡＳＥｓと、ＴＣＡＰと、ＳＣＣＰと、ＳＡＡＬと、ＡＴＭと、Physicalとからなる。
【００２７】
前記ＳＤＰ３２０はＳＤＦ（Service Data Function）、ＬＲＤＦ（Location Register Data Function）、及びＡＤＦ（Authentication Data Function）を遂行するＡＰと、ＳＡＣＦ＊と、ＡＳＥｓと、ＴＣＡＰと、ＳＣＣＰと、ＳＡＡＬと、ＡＴＭと、Physicalとからなる。
【００２８】
このように構成されたプロトコルは前記ＩＮのサービス制御部分に移動性（Mobility）を追加する概念によってＳＣＰ３１０とＳＤＰ３１１とにそれぞれＬＲＣＦ（Location Register Control Function）とＬＲＤＦ（Location Register Data Function）機能を追加するようにする。残徐の構成は既存のＣＮプロトコル構造と同一であるので、ここでは説明を省略するようにする。
【００２９】
図４は本発明の実施の形態によるＩＮを利用したＭＳＣ間のハンドオーバ方法を説明するための流れ図を図示したものである。
図２及び図３に図示のＩＭＴ−２０００網システムにおけるＩＮ３００を利用したＭＳＣ間のハンドオーバ過程を図４を参照して説明すると次のとおりである。
【００３０】
まず、図２に図示されたＭＳＣ２１０をハンドオーバ前のＭＳＣとして仮定し、ｐＭＳＣ（previous ＭＳＣ）と表現して説明し、図２に図示されたＭＳＣ２２０をハンドオーバされたＭＳＣと仮定してｃＭＳＣ（candidate ＭＳＣ）と表現して説明する。そして、図２に図示されたＭＳＣ２３０を伝達ＭＳＣと仮定しして説明する。
【００３１】
ステップＳ１において、前記ｐＭＳＣ２１０の管轄地域内のＭＴ１１０の移動によってＭＴ１１０が管轄地域のｐＭＳＣ２１０にハンドオーバを要求すると、ＰＭＳＣ２１０のＳＳＦ２１１はＩＮ３００のＳＣＰ３１０にＭＴ１１０のハンドオーバを要求する。即ち、ｐＭＳＣ２１０のＳＳＦ２１１によってＣＣＦ２１２からハンドオーバ要求がＩＮ３００のＳＣＰ３１０に伝達される。
【００３２】
次に、ステップＳ２において、前記ＩＮ３００のＳＣＰ３１０は伝達ＭＳＣ２３０にハンドオーバを要求し、これにより、ステップＳ３において、伝達ＭＳＣ２３０内のＣＣＦ２３２は前記ｐＭＳＣ２１０との連結を解除した後にルーチングテーブル（Routing Table）を変化させ新たなｃＭＳＣ２２０との連結を再設定してＭＳＣ間のハンドオーバを遂行する。
【００３３】
即ち、ＩＮ３００のＳＣＰ３１０が伝達ＭＳＣ２３０のＣＣＦ２３２に遠隔作業命令を伝達してルーチングテーブルを変化させるようにし、ＣＣＦ２３２をしてＢＣＦ（Bearer Control Function）（図示されていない）を通じて連結の再設定手続を遂行するようにする。
【００３４】
ステップＳ４において、前記ステップＳ３のハンドオーバが成功的に完了されると、ステップＳ５において、伝達ＭＳＣ２３０はＩＮ３００のＳＣＰ３１０にハンドオーバ遂行結果を通報し、これによりステップＳ６からＩＮ３００のＳＣＰ３１０は通報を受けたハンドオーバ遂行結果を初めにハンドオーバを要求したｐＭＳＣ２１０に通報する。
【００３５】
前記のようなＩＮ概念はＩＮＣＳ−３に基盤を置いたモデルとして、網に知能要素を分散させ、分散されたサービス要素を組合してサービス特化された作業ブロック（ＳＩＢ（Service Independent Block））を構成して並列的に遠隔作業を遂行するようにしている。
【００３６】
即ち、前記のようなＩＮを利用してＭＳＣ間のハンドオーバを遂行する場合ＭＳＣ間のハンドオーバに必要な多数個の遠隔作業がＩＮのＳＣＰの管理下で並列的に行われるようになり、連結再設定のための時間の遅延が減少され管理の統一性も達成することができる。
【００３７】
図５と図６はシミュレーション言語を使用してＩＭＴ−２０００網システムを具現することによって呼設定失敗率とリンク資源の管理能力に対するデーターを集合してＭＳＣ間のハンドオーバ性能を観察して見た結果である。
【００３８】
即ち、図５に図示のようにＩＮを利用したＭＳＣ間のハンドオーバ（ｂ）に比ベアンカー方式を利用したＭＳＣ間のハンドオーバ（ａ）が２倍程度の呼設定の失敗率を有することを把握することができ、これはハンドオーバ時毎に新たなリンクを割り当てなければならないアンカー方式が新たな呼を設定することが難しいことを見せている。
【００３９】
これにより、本発明によるＩＮを利用してＭＳＣ間のハンドオーバを遂行するＩＭＴ−２０００網システムはさらに多数の加入者を同時に支援することができる。
【００４０】
また、図６に図示のようにＩＮを利用してＭＳＣ間のハンドオーバを遂行するＩＭＴ−２０００網システム（ｂ）がアンカー方式によるハンドオーバ（ａ）を遂行するときより使用可能なリンク資源がさらに豊富であることを知ることができる。
【００４１】
【発明の効果】
以上の説明のように、本発明は既存のＩＭＴ−２０００網システム内のＭＳＣ内に具備されたハンドオーバを遂行するための機能を削除し従来ＳＳＦとＣＣＦとからなるＡＴＭ ＭＳＣをそのまま使用してＭＳＣの構造が簡単になることは勿論のこと、費用を節減することができ、ゲートウェイＭＳＣを使用する必要がないので、従来のアンカー方式を使用したゲートウェイＭＳＣにトラフィックが集合されることを防止することができ、非階層的な網の構造を通じていかなるＭＳＣも無線接続網との連動を遂行することができ、柔軟な網の構成と適切なトラフィックの分散が可能になる効果がある。
【図面の簡単な説明】
【図１】  一般的なＩＭＴ−２０００網システムの全体ブロック構成図である。
【図２】  本発明の知能網を利用した交換機間のハンドオーバ方法を具現するためのＩＭＴ−２０００網システムの全体ブロック構成図である。
【図３】  本発明の知能網を利用した交換機間のハンドオーバ方法を具現するための伝送網の交換機と知能網との間のプロトコル構造図である。
【図４】  本発明による知能網を利用し牟交換機聞のハンドオーバ方法を図示している動作流れ図である。
【図５】  従来のアンカー方式と本発明の知能網の基盤方式の呼設定の失敗率に封する比較グラフである。
【図６】  従来のアンカー方式と本発明の知能網の基盤方式の使用可能リンク数に封する比較グラフである。
【符号の説明】
１００：ＲＡＮ，１１０，１１１：ＭＴ，１２０、１２１：ＢＴＳ，１３０，１３１：ＲＮＣ、１４０，１５０：ＲＡＣＦ，１４１，１５１：ＡＲＦ，１４２，１５２：ＳＡＣＦ，２００：ＣＮ，２１０，２２０，２３０：ＭＳＣ，２１１，２２１，２３１：ＳＳＦ、２１２，２２２．２３２：ＣＣＦ，３００：ＩＮ，３１０：ＳＣＰ，３１１：ＳＤＰ。
【図１】
0004183332.tif 000002
【図２】
0004183332.tif 000003
【図３】
0004183332.tif 000004
【図４】
0004183332.tif 000005
【図５】
0004183332.tif 000006
【図６】
0004183332.tif 000007